(57)【要約】【課題】  高濃度の水素水を製造する水素水製造器具で発生した高濃度の水素ガスを吸入する又は浸透させることができ、且つ、携帯に適した水素ガス吸入方法と水素ガス浸透方法と水素ガス吸入装置と水素ガス浸透装置を提供すること。【解決手段】  水素水製造器具内の水素水中の水素ガス濃度を高めるべく上記水素水製造器具内で発生・貯留されている水素ガスをガス抜きする際、そのガス抜きされる水素ガスを吸入するようにしたもの。  水素水製造器具内の水素水中の水素ガス濃度を高めるべく上記水素水製造器具内で発生・貯留されている水素ガスをガス抜きする際、そのガス抜きされる水素ガスを浸透させるようにしたもの。【選択図】  図１
2016182153.tif 000002
【特許請求の範囲】
【請求項１】
水素水製造器具内の水素水中の水素ガス濃度を高めるべく上記水素水製造器具内で発生・貯留されている水素ガスをガス抜きする際、そのガス抜きされる水素ガスを吸入するようにしたことを特徴とする水素ガス吸入方法。
【請求項２】
水素水製造器具内の水素水中の水素ガス濃度を高めるべく上記水素水製造器具内で発生・貯留されている水素ガスをガス抜きする際、そのガス抜きされる水素ガスを浸透させるようにしたことを特徴とする水素ガス浸透方法。
【請求項３】
水素水製造器具と、
上記水素水製造器具に接続された水素ガス吸入器具と、
を具備したことを特徴とする水素ガス吸入装置。
【請求項４】
水素水製造器具と、
上記水素水製造器具に接続された水素ガス浸透器具と、
を具備したことを特徴とする水素ガス浸透装置。
【請求項５】
請求項３記載の水素ガス吸入装置において、
上記水素水製造器具にはガス抜き部が設けられていて、上記水素ガス吸入器具はこのガス抜き部に接続されていることを特徴とする水素ガス吸入装置。
【請求項６】
請求項４記載の水素ガス浸透装置において、
上記水素水製造器具にはガス抜き部が設けられていて、上記水素ガス浸透器具はこのガス抜き部に接続されていることを特徴とする水素ガス浸透装置。
【請求項７】
請求項５記載の水素ガス吸入装置において、
上記水素水製造器具は製造された水素水の飲み口を有する機能水容器を備えていて、上記飲み口はキャップにより開閉自在に閉塞されていて、上記ガス抜き部はこのキャップに設けられていることを特徴とする水素ガス吸入装置。
【請求項８】
請求項６記載の水素ガス浸透装置において、
上記水素水製造器具は製造された水素水の飲み口を有する機能水容器を備えていて、上記飲み口はキャップにより開閉自在に閉塞されていて、上記ガス抜き部はこのキャップに設けられていることを特徴とする水素ガス浸透装置。
【請求項９】
請求項３又は請求項５又は請求項７記載の水素ガス吸入装置において、
上記水素ガス吸入器具は鼻孔カニューラを使用するものであることを特徴とする水素ガス吸入装置。
【請求項１０】
請求項３又は請求項５又は請求項７記載の水素ガス吸入装置において、
上記水素ガス吸入器具は吸入マスクを使用するものであることを特徴とする水素ガス吸入装置。
【請求項１１】
請求項１０記載の水素ガス吸入装置において、
上記吸入マスクは上記ガス抜き部に略直付けされるものでることを特徴とする水素ガス吸入装置。
【請求項１２】
請求項４又は請求項６又は請求項８記載の水素ガス浸透装置において、
上記水素ガス浸透器具は経皮浸透室を使用するものであることを特徴とする水素ガス浸透装置。
【請求項１３】
請求項３又は請求項５又は請求項７又は請求項９又は請求項１０又は請求項１１記載の水素ガス吸入装置において、
上記水素水製造器具は、アルミニウムと酸化カルシウムを主剤とする水素ガス発生剤を使用するものであることを特徴とする水素ガス吸入装置。
【請求項１４】
請求項４又は請求項６又は請求項８又は請求項１２記載の水素ガス浸透装置において、
上記水素水製造器具は、アルミニウムと酸化カルシウムを主剤とする水素ガス発生剤を使用するものであることを特徴とする水素ガス浸透装置。
【発明の詳細な説明】
【技術分野】
【０００１】
本発明は、水素ガス吸入方法と水素ガス浸透方法と水素ガス吸入装置と水素ガス浸透装置に係り、特に、高濃度の水素ガスを効率良く吸入する又は浸透させることができ、且つ、携帯できるように工夫したものに関する。
【背景技術】
【０００２】
水素ガス吸入方法と水素ガス吸入装置の構成を開示するものとして、例えば、特許文献１、特許文献２、等がある。
まず、特許文献１に記載された発明による「水素ガス吸引方法並びに装置」は概略次のような構成になっている。まず、水素発生容器があり、この水素発生容器内には水が充填されるとともに水素発生剤が投入される。上記水素発生容器内で発生した水素ガスは、チューブを介してガス洗浄装置に放出される。このガス洗浄装置内には水が充填されており、この水中に放出された水素ガスは液面上に浮上する。この液面上に浮上した水素ガスをチューブ及びチューブに接続された鼻孔カニューラを介して吸入する。
【０００３】
又、特許文献２に記載された発明による「水素ガス吸入装置」は概略次のような構成になっている。まず、容器本体があり、この容器本体内には水が充填されているとともに水素発生材が投入されている。この容器本体内で発生した水素ガスは、接続チューブを介して別の容器本体内の水中に放出される。この別の容器本体内の水中に放出された水素ガスは、液面上に浮上する。この浮上した水素ガスを中間チューブ及び中間チューブに接続された鼻孔カニューラを介して吸入する。
【先行技術文献】
【特許文献】
【０００４】
【特許文献１】特開２０１４−６１２７５号公報
【特許文献２】実用新案登録第３１８４４７０号公報
【発明の概要】
【発明が解決しようとする課題】
【０００５】
上記従来の構成によると次のような問題があった。
まず、高濃度の水素ガスを吸入することができないという問題があった。例えば、特許文献１に記載されている発明の場合には、水素発生容器とは別に設けられたガス洗浄装置内が鼻孔カニューラの先端を介して大気開放されているため、ガス洗浄装置内の水素ガス濃度を高くすることができないからである。つまり、ガス洗浄装置の気層部は大気開放されている為に空気が存在しており、水素発生容器内で発生した水素ガスはこの空気と混合されることになり、その為、水素ガス濃度を高くすることができないものである。
これは、特許文献２に記載された発明の場合も同じであり、二つ目の容器本体内が鼻孔カニューラを介して大気開放されているため、二つ目の容器本体内の水素ガス濃度を高くすることができず、結局、高濃度の水素ガスを吸入できないことになる。
又、別の問題として携帯に不適であるという問題があった。例えば、特許文献１に記載された発明の場合には、水素発生容器とは別にガス洗浄装置が必要であり、それらを携帯した状態で水素ガスを吸入することは困難である。同様に、特許文献２に記載された発明の場合も、二つの容器本体が必要であり、これ二つの容器本体を携帯して水素ガスを吸入することは困難である。
【０００６】
本願発明はこのような点に基づいてなされたものでその目的とするところは、高濃度の水素水を製造する水素水製造器具で発生した高濃度の水素ガスを吸入する又は浸透させることができ、且つ、携帯に適した水素ガス吸入方法と水素ガス浸透方法と水素ガス吸入装置と水素ガス浸透装置を提供することにある。
【課題を解決するための手段】
【０００７】
上記目的を達成するべく本願発明の請求項１による水素ガス吸入方法は、水素水製造器具内の水素水中の水素ガス濃度を高めるべく上記水素水製造器具内で発生・貯留されている水素ガスをガス抜きする際、そのガス抜きされる水素ガスを吸入するようにしたことを特徴とするものである。
又、請求項２による水素ガス浸透方法は、水素水製造器具内の水素水中の水素ガス濃度を高めるべく上記水素水製造器具内で発生・貯留されている水素ガスをガス抜きする際、そのガス抜きされる水素ガスを浸透させるようにしたことを特徴とするものである。
又、請求項３による水素ガス吸入装置は、水素水製造器具と、上記水素水製造器具に接続された水素ガス吸入器具と、を具備したことを特徴とするものである。
又、請求項４による水素ガス浸透装置は、水素水製造器具と、上記水素水製造器具に接続された水素ガス浸透器具と、具備したことを特徴とするものである。
又、請求項５による水素ガス吸入装置は、請求項３記載の水素ガス吸入装置において、上記水素水製造器具にはガス抜き部が設けられていて、上記水素ガス吸入器具はこのガス抜き部に接続されていることを特徴とするものである。
又、請求項６による水素ガス浸透装置は、請求項４記載の水素ガス浸透装置において、上記水素水製造器具にはガス抜き部が設けられていて、上記水素ガス浸透器具はこのガス抜き部に接続されていることを特徴とするものである。
又、請求項７による水素ガス吸入装置は、請求項５記載の水素ガス吸入装置において、上記水素水製造器具は製造された水素水の飲み口を有する機能水容器を備えていて、上記飲み口はキャップにより開閉自在に閉塞されていて、上記ガス抜き部はこのキャップに設けられていることを特徴とするものである。
又、請求項８による水素ガス浸透装置は、請求項６記載の水素ガス浸透装置において、上記水素水製造器具は製造された水素水の飲み口を有する機能水容器を備えていて、上記飲み口はキャップにより開閉自在に閉塞されていて、上記ガス抜き部はこのキャップに設けられていることを特徴とするものである。
又、請求項９による水素ガス吸入装置は、請求項３又は請求項５又は請求項７記載の水素ガス吸入装置において、上記水素ガス吸入器具は鼻孔カニューラを使用するものであることを特徴とするものである。
又、請求項１０による水素ガス吸入装置は、請求項３又は請求項５又は請求項７記載の水素ガス吸入装置において、上記水素ガス吸入器具は吸入マスクを使用するものであることを特徴とするものである。
又、請求項１１による水素ガス吸入装置は、請求項１０記載の水素ガス吸入装置において、上記吸入マスクは上記ガス抜き部に略直付けされるものでることを特徴とするものである。
又、請求項１２による水素ガス浸透装置は、請求項４又は請求項６又は請求項８記載の水素ガス浸透装置において、上記水素ガス浸透器具は経皮浸透室を使用するものであることを特徴とするものである。
又、請求項１３による水素ガス吸入装置は、請求項３又は請求項５又は請求項７又は請求項９又は請求項１０又は請求項１１記載の水素ガス吸入装置において、上記水素水製造器具は、アルミニウムと酸化カルシウムを主剤とする水素ガス発生剤を使用するものであることを特徴とするものである。
又、請求項１４による水素ガス浸透装置は、請求項４又は請求項６又は請求項８又は請求項１２記載の水素ガス浸透装置において、上記水素水製造器具は、アルミニウムと酸化カルシウムを主剤とする水素ガス発生剤を使用するものであることを特徴とするものである。
【発明の効果】
【０００８】
以上述べたように本願発明の請求項１による水素ガス吸入方法によると、水素水製造器具内の水素水中の水素ガス濃度を高めるべく上記水素水製造器具内で発生・貯留されている水素ガスをガス抜きする際、そのガス抜きされる水素ガスを吸入するようにしたので、本来であれば、そのまま排気されていた高濃度の水素ガスを有効利用することができる。
又、請求項２による水素ガス浸透方法によると、水素水製造器具内の水素水中の水素ガス濃度を高めるべく上記水素水製造器具内で発生・貯留されている水素ガスをガス抜きする際、そのガス抜きされる水素ガスを浸透させるようにしたので、本来であれば、そのまま排気されていた高濃度の水素ガスを有効利用することができる。
又、請求項３による水素ガス吸入装置によると、素水製造器具と、上記水素水製造器具に接続された水素ガス吸入器具と、具備したので、本来であれば、そのまま排気されていた高濃度の水素ガスを有効利用することができ、又、水素ガス吸入器具を水素水製造器具に取り付けているので、構成も簡単であり携帯性を高めることができる。
又、請求項４による水素ガス浸透装置によると、水素水製造器具と、上記水素水製造器具に接続された水素ガス浸透器具と、具備したので、本来であれば、そのまま排気されていた高濃度の水素ガスを有効利用することができ、又、水素ガス浸透器具を水素水製造器具に取り付けているので、構成も簡単であり携帯性を高めることができる。
又、請求項５による水素ガス吸入装置によると、請求項３記載の水素ガス吸入装置において、上記水素水製造器具にはガス抜き部が設けられていて、上記水素ガス吸入器具はこのガス抜き部に接続されているので、水素ガス吸入器具の接続部を別途設ける必要はなく構成の簡略化を図ることができる。
又、請求項６による水素ガス浸透装置によると、請求項４記載の水素ガス浸透装置において、上記水素水製造器具にはガス抜き部が設けられていて、上記水素ガス浸透器具はこのガス抜き部に接続されているので、水素ガス浸透器具の接続部を別途設ける必要はなく構成の簡略化を図ることができる。
又、請求項７による水素ガス吸入装置によると、請求項５記載の水素ガス吸入装置において、上記水素水製造器具は製造された水素水の飲み口を有する機能水容器を備えていて、上記飲み口はキャップにより開閉自在に閉塞されていて、上記ガス抜き部はこのキャップに設けられているので、これによっても、構成の簡略化を図ることができる。
又、請求項８による水素ガス浸透装置によると、請求項６記載の水素ガス浸透装置において、上記水素水製造器具は製造された水素水の飲み口を有する機能水容器を備えていて、上記飲み口はキャップにより開閉自在に閉塞されていて、上記ガス抜き部はこのキャップに設けられているので、これによっても、構成の簡略化を図ることができる。
又、請求項９による水素ガス吸入装置によると、請求項３又は請求項５又は請求項７記載の水素ガス吸入装置において、上記水素ガス吸入器具は鼻孔カニューラを使用するものであるので、比較的簡単な構成で水素ガスを効率良く吸入することができる。
又、請求項１０による水素ガス吸入装置によると、請求項３又は請求項５又は請求項７記載の水素ガス吸入装置において、上記水素ガス吸入器具は吸入マスクを使用するものであるので、この場合にも、比較的簡単な構成で水素ガスを効率良く吸入することができる。
又、請求項１１による水素ガス吸入装置によると、請求項１０記載の水素ガス吸入装置において、上記吸入マスクは上記ガス抜き部に略直付けされるものであるので、携帯性をより高めることができる。
又、請求項１２による水素ガス浸透装置によると、請求項４又は請求項６又は請求項８記載の水素ガス浸透装置において、上記水素ガス浸透器具は経皮浸透室を使用するものであるので、水素ガスを効率良く浸透させることができる。
又、請求項１３による水素ガス吸入装置によると、請求項３又は請求項５又は請求項７又は請求項９又は請求項１０又は請求項１１記載の水素ガス吸入装置において、上記水素水製造器具は、アルミニウムと酸化カルシウムを主剤とする水素ガス発生剤を使用するものであるので、水素ガスを効率良く発生させることができる。
又、請求項１４による水素ガス浸透装置によると、請求項４又は請求項６又は請求項８又は請求項１２記載の水素ガス浸透装置において、上記水素水製造器具は、アルミニウムと酸化カルシウムを主剤とする水素ガス発生剤を使用するものであるので、水素ガスを効率良く発生させることができる。
【図面の簡単な説明】
【０００９】
【図１】本発明の第１の実施の形態を示す図で、水素ガス吸入器具を使用して水素ガスを吸入している様子を示す図である。
【図２】本発明の第１の実施の形態を示す図で、図１のＩＩ部を拡大して示す断面図である。
【図３】本発明の第１の実施の形態を示す図で、図３（ａ）は水素ガス発生ユニットの構成を示す縦断面図、図３（ｂ）は図３（ａ）のｂ−ｂ断面図である。
【図４】本発明の第２の実施の形態を示す図で、水素ガス吸入器具を使用して水素ガスを吸入している様子を示す図である
【図５】本発明の第３の実施の形態を示す図で、水素ガス吸入器具を使用して水素ガスを吸入している様子を示す図である。
【図６】本発明の第４の実施の形態を示す図で、水素ガス吸入器具を使用して水素ガスを吸入している様子を示す図である。
【図７】本発明の第５の実施の形態を示す図で、図７（ａ）は水素ガス浸透器具を使用して顔の皮膚に水素ガスを浸透させている様子を示す図、図７（ｂ）は経皮浸透治具の断面図である。
【図８】本発明の第６の実施の形態を示す図で、図８（ａ）は水素ガス浸透器具を使用して顔の皮膚に水素ガスを浸透させている様子を示す図、図８（ｂ）は経皮浸透治具の断面図である。
【図９】本発明の第７の実施の形態を示す図で、水素水製造器具の上部の構成を拡大して示す断面図である。
【発明を実施するための形態】
【００１０】
以下、図１乃至図３を参照して本発明の第１の実施の形態を説明する。図１は、水素水製造器具１よりガス抜きされた水素ガスを水素ガス吸入器具１０１を介してユーザ２が吸入している様子を示す図であり、図２は図１のＩＩ部を拡大して示す断面図である。以下、詳細に説明する。
まず、水素ガス発生ユニット３が投入された機能水容器５がある。この機能水容器５としては、例えば、ポリエチレンテレフタラート（ＰＥＴ）製で５３０ｍｌのいわゆる「炭酸ペットボトル」の使用が考えられる。
因みに、この第１の実施の形態においても「炭酸ペットボトル」を使用している。
上記機能水容器５内には、例えば、５１０ｍｌ程度の機能水７が充填されている。上記機能水容器５の内容積は５３０ｍｌであり、そこから、水素ガス発生ユニット３の容積（略２０ｍｌ）を減算して上記機能水の量である５１０ｍｌが算出されている。図１、図２では、水素ガスの発生により機能水容器５が膨張しており、それによって、機能水７の液面が低下している。この第１の実施の形態における機能水７は飲料水として使用される。
尚、飲料水以外にも、化粧用、動植物育成用、等、様々な用途が考えられる。
【００１１】
上記機能水容器５の上端開口部は飲み口（又は、注ぎ口）９となっている。この飲み口９はキャップ１１によって開閉されるように構成されている。すなわち、上記飲み口９の外周には雄ネジ部１３が形成されており、一方上記キャップ１１の内周には雌ネジ部１５が形成されている。上記キャップ１１は、これら雄ネジ部１３と雌ネジ部１５の螺合構造により、上記飲み口９に着脱される。又、上記キャップ１１の外周部には複数個の操作用突起１７が放射状に突設されており、それによって、キャップ１１の回転操作の容易化を図っている。
【００１２】
上記キャップ１１にはガス抜きバルブ１９が設置されている。すなわち、上記キャップ１１の中央位置には貫通孔２１が形成されていて、この貫通孔２１内には、弁座用スリーブ２３が、図１、図２中下側から挿通されている。この弁座用スリーブ２３の図１、図２中上端部外周には雄ねじ部２５が形成されている。この雄ねじ部２５にはナット２７が螺合されており、それによって、キャップ１１と弁座用スリーブ２３が一体化されている。
尚、弁座用スリーブ２３の鍔部２３ａとキャップ１１との間にはゴム製パッキン２４が介挿されている。
【００１３】
上記弁座用スリーブ２３内には図中上方からガス抜き用中空シャフト２９が螺入されている。すなわち、図２に示すように、上記ガス抜き用中空シャフト２９の長手方向中央部に雄ねじ部２９ｄが設けられていて、一方、弁座用スリーブ２３の長手方向中央部には雌ねじ部２３ｃが設けられている。上記ガス抜き用中空シャフト２９は、これら雄ねじ部２９ｄと雌ねじ部２３ｂを介して、上記弁座用スリーブ２３内に螺入されている。
尚、上記雄ねじ部２９ｄと雌ねじ部２３ｂからなる螺合部の図２中上下には隙間が形成されている。
【００１４】
上記ガス抜き用中空シャフト２９には中空部２９ａが形成されている。上記弁座用スリーブ２３の内底部にはシート部３１が設けられており、一方、上記ガス抜き用中空シャフト２９の先端部はテーパ状に縮径された弁部３３となっている。又、上記シート部３１にはガス抜き用通気孔３４が穿孔されている。又、上記ガス抜き用中空シャフト２９の上端には回転操作部２９ｂが設けられている。又、上記ガス抜き用中空シャフト２９には、上記中空部２９ａに連通するガス抜き用貫通孔２９ｃが形成されている。
尚、上記シート部３１と弁部３３との間には弁座パッキン３６が設置されているとともに、弁座用スリーブ２３とガス抜き用中空シャフト２９との間にはＯリング４０が設置されている。
【００１５】
そして、常時は、上記弁部３３が上記シート部３１に着座していて、ガス抜き用通気孔３４は閉塞されている。これに対して、上記回転操作部２９ｂを回転操作して上記ガス抜き用中空シャフト２９の弁座用スリーブ２３に対する螺合を緩めて上方に引き上げることにより、上記弁部３３を上記シート部３１から離間させる。それによって、ガス抜き用通気孔３４が開放され、ガス抜き用通気孔３４、ガス抜き用貫通孔２９ｃ、中空部２９ａを介してガス抜きが行われる。この種のガス抜きは次のような目的で行われる。
【００１６】
すなわち、水素ガス発生ユニット３においては水素ガスが発生され、その水素ガスは上記機能水７中に微泡で放出され効率良く溶解されることになる。その際、飲み口９はキャップ１１により閉塞されているので、機能水容器５内の気圧は徐々に上昇していく。その結果、水素ガス発生ユニット３において発生した水素ガスの機能水７中への放出・溶解が抑制され、その結果、水素ガス発生ユニット３内に水素ガスが貯留されることになる。そこで、飲用する直前に、上記ガス抜きパルブ１９を徐々に開放してガス抜きを行うことにより、水素ガス発生ユニット３に貯留されている水素ガスを機能水７中へ徐々に微泡として放出して効果的に溶解させようとするものである。
【００１７】
次に、上記水素ガス発生ユニット３の構成を説明する。図３（ａ）に拡大して示すように、まず、外側容器５１があり、この外側容器５１の上端開口５１ａはキャップ５３によって閉塞されている。又、上記外側容器５１は、中空部５５と、この中空部５５の下方に連設された中実部５７とから構成されている。上記中空部５５の上記中実部５７側の部分はテーパ部５９となっていて、このテーパ部５９は中空部５５側から中実部５７側に向かって徐々に縮径されている。又、上記中実部５７の下端には微泡発生器６１が連結されている。上記テーパ部５９を設けたのは、上記微泡発生器６１より放出された水素ガスの気泡を外側容器５１に衝突させることなく円滑に上昇させるためである。すなわち、微泡発生器６１により放出された水素ガスの気泡が外側容器５１に衝突するとそこに付着して浮上しないことがある。その状態で新たな気泡が浮上してくるとその付着している気泡に衝突・融合してより大きな気泡に変化してしまうことがある。そのような大きな気泡はその後浮上しても機能水７中で自壊して溶解することなく機能水７上に排気されてしまう。そこで、上記テーパ部５９を設けることによりそのような気泡の肥大化現象を防止するようにしたものである。
【００１８】
又、上記キャップ５３の上端には複数個（この実施の形態の場合には３個）の突起５３ａが突設されている。これら突起５３ａによって、上記弁座用スリーブ２３の下端とキャップ５３との間に隙間を形成するようにしている。
【００１９】
上記中空部５５内には内側容器６３が収容されている。この内側容器６３の上端の開口部６３ａは開放されている。また、上記外側容器５１の中実部５７側からは水素ガス通気路６５が立設されていて、上記内側容器６３はこの水素ガス通気路６５上に設置されている。上記水素ガス通気路６５の上端開口部６５ａは斜めに傾斜した状態で開放されている。そして、この内側容器６３内には水素ガス発生剤キット６７が収容されている。この水素ガス発生剤キット６７の構成については追って詳細に説明する。
尚、上記外側容器５１と内側容器６３の材質としては、例えば、ポリプロピレン（ＰＰ）、ポリメチルペンテン（ＴＰＸ）、ポリカーボネイト（ＰＣ）、ポリアミド（ＰＡ６６）、ポリテトラフルホロエチレン（ＰＴＦＥ）、等が考えられる。
【００２０】
上記中実部５７には、上記水素ガス通気路６５に連通された水素ガス通気路６９が形成されているとともに、この水素ガス通気路６９に連通する螺旋状水素ガス通気路７１が設けられている。すなわち、上記中実部５７の外周面には螺旋状水素ガス通気溝が形成されていて、そこに被覆チューブ７２を被冠することにより、上記螺旋状水素ガス通気路７１を形成している。又、この螺旋状水素ガス通気路７１の図３（ａ）中下端には別の水素ガス通気路７３が連設されている。又、既に説明した微泡発生器６１にも水素ガス通気路７５が形成されていて、この水素ガス通気路７５は上記水素ガス通気路７３に連通されている。
【００２１】
そして、内側容器６３内で発生した水素ガスは、内側容器６３の上端開口部６３ａを越流して下方に流下する。下方に流下した水素ガスは、水素ガス通気路６５、水素ガス通気路６９、螺旋状水素ガス通気路７１、水素ガス通気路７３、水素ガス通気路７５、微泡発生器６１を介して、機能水容器５の機能水７中に放出される。
【００２２】
既に説明した内側容器６１の外周面には複数個の突起７７が突出・形成されている。このような複数個の突起７７を設けることにより、内側容器６３と外側容器５１との間に断熱空間７９を形成し、所望の断熱機能を発揮させる構成になっている。上記断熱空間７９は、図示するように、内側容器６３の上端では小さくなっていて（外側容器５１と内側容器６３の隙間が、例えば、１ｍｍ程度）下方に向かって徐々に大きくなるように構成されている。
【００２３】
このような断熱空間７９を設けたのは、反応部位の温度を水素ガス発生のための反応開始温度（例えば、４０℃〜４５℃）に速やかに到達させるためである。すなわち、機能水７の温度は季節要因（冬季）と給水設備の条件等に左右され、例えば、４℃〜３５℃程度である。このような温度範囲の機能水７によって反応部位の温度上昇が損なわれることが懸念される。そこで、上記断熱空間７９を設けることにより、反応部位の温度を、機能水７の温度に影響されることなく、速やかに反応開始温度（例えば、４０℃〜４５℃）に到達させるようにしたものである。又、それ以外にも、機能水７と反応用水８０の顕熱と潜熱の遷移を最適化する意味もある。
【００２４】
又、内側容器６３の上方の空間は発生した水素ガスが圧縮・貯留される水素ガス貯留チャンバ６４となっている。この水素ガス貯留チャンバ６４は、水素ガス発生加圧時には与圧貯留干渉で昇圧を遅延させ、開放減圧時には放圧時間を遅延させる送気減圧の遅延干渉を行い、加圧、減圧、送気の平準化を目的に設けられている。そして、既に説明した使用直前のガス抜きにより、この水素ガス貯留チャンバ６４内に圧縮・貯留されていた水素ガスが、例えば、０．７Ｍｐａから常圧まで圧力が低下する過程で、例えば、１２０倍程度に膨張されながら、既に説明した微泡発生器６１を介して放出されることになる。
【００２５】
又、上記水素ガス貯留チャンバ６４は、例えば、反応熱により気化して蒸発した反応用水８０を凝縮させて内側容器６３内に戻す機能も備えている。その際、上記したように、内側容器６３の上端では断熱空間７９が小さくなっているので、凝縮された反応用水８０が内側容器６３の外側に流下することはない。
【００２６】
そして、上記水素ガス発生剤キット６７をセットする場合には、まず、内側容器６１を取り出して、そこに水素ガス発生剤キット６７を投入すると共に所定量の反応用水８０を入れる。次に、その内側容器６１を外側容器５１内に入れて、キャップ５３により外側容器５１を封止する。
これで、水素ガス発生ユニット３のセットは完了する。後は、この水素ガス発生ユニット３を機能水容器５内の機能水７中に投入すればよい。
【００２７】
上記微泡発生器６１は親水性を備えた多孔質物質、例えば、セラミックス、金属、ガラス、等からなる焼成多孔質物質又は樹脂製多孔質物質から構成されている。孔の口径は、例えば、数ｎｍ〜５μｍ程度である。
【００２８】
次に、上記水素ガス発生剤キット６７の構成を説明する。まず、不織布製袋体８１があり、この不織布製袋体８１は、親水性、透水性、通気性を備えたものである。上記不織布製袋体８１内には水素ガス発生剤８３が収容されている。上記水素ガス発生剤８３としては、例えば、金属アルミニウム、金属マグネシウム、金属亜鉛、金属ニッケル、金属コバルト、等の金属（主剤Ａ）と、酸剤、アルカリ剤等からなる水素発生反応促進剤（主剤Ｂ）と、が考えられる。上記酸剤としては、例えば、反応後に固形の沈殿物が生じるもの、イオン交換樹脂等の固形酸が考えられる。又、上記アルカリ剤としては、例えば、水酸化カルシウム（消石灰）、酸化カルシウム（生石灰）、焼成カルシウム、酸化マグネシウム、水酸化マグネシウム、陰イオン交換樹脂、等、公知のあらゆるものの使用が考えられる。
【００２９】
因みに、本実施の形態の場合には、水素ガス発生剤８３の主剤Ａは、アルミニウム（Ａｌ）の粉末であり、１００〜３００メッシュグレードで粒径が１００〜３００μｍ程度のものである。又、上記主剤Ｂは酸化カルシウム（ＣａＯ）の粉末であり、１００〜３００メッシュグレードで粒径１００〜３００μｍ程度のものである。又、その質量は、主剤Ａ、主剤Ｂ合計で、例えば、０．７ｇ〜１．２ｇ程度である。このような量の水素ガス発生剤８３を使用することにより、１００〜４００ｍｌの水素ガスを発生させることができる。
尚、水素ガス発生剤８３としての何を使用するかは任意でありこれを特に特定するものではない。
又、主剤Ａ、主剤Ｂ以外に、反応効率と反応時間の制御／抑制を目的に別途何等かの副材を使用することも考えられる。
【００３０】
又、上記反応用水８０であるが、その量は、水素ガス発生剤８３の１．０〜３．０倍程度が好ましく、より好ましくは、１．５〜２．０倍程度である。
【００３１】
次に、既に説明した螺旋状水素ガス通気路７１の構成を詳しく説明する。螺旋状水素ガス通気路７１を文字通り螺旋状に屈曲・形成されており、そのような屈曲した構成としたのは、反応室の水素ガス発生反応により発生した水素ガスの機能水７側への放出を許容し、同反応により生成された反応水・反応物の機能水７側への流出、機能水７の反応室側への流入を規制できるようにするためである。
【００３２】
又、上記螺旋状水素ガス通気路７１の長さであるが、機能水容器５を押し付けた場合、機能水容器５を落とした場合、環境温度変化により機能水容器５が膨張・収縮した場合、等の状況を想定して、そのような場合であっても、反応室の水素ガス発生反応により発生した水素ガスの機能水７側への放出を許容し、同反応により生成された反応水・反応物の機能水７側への流出、機能水７の反応室側への流入を規制できるような値に設定されている。
【００３３】
又、上記螺旋状水素ガス通気路７１の堰断面積は、好ましくは、（π×０．２５２）ｍｍ２〜（π×３．０２）ｍｍ２、より好ましくは、（π×０．５２）ｍｍ２〜（π×１．５２）ｍｍ２の範囲内で任意に設定されている。
【００３４】
さて、既に説明したように、上記ガス抜き用中空シャフト２９には水素ガス吸入器具１０１が接続されている。この水素ガス吸入器具１０１は次のような構成になっている。まず、上記ガス抜き用中空シャフト２９には接続具１０３が取り付けられていて、この接続具１０３には水素ガス吸入チューブ１０５が接続されている。上記接続具１０３は中空の螺入軸１０３ａと、ナット１０３ｂと、座金１０３ｃとから構成されている。この水素ガス吸入チューブ１０５には、接続具１０７を介してループ状の別の水素ガス吸入チューブ１０９が接続されている。この水素ガス吸入チューブ１０９には、鼻孔カニューラ１１１が取り付けられている。ユーザ２はこの鼻孔カニューラ１１１を自身の鼻孔１１３に差し込んで水素ガスを吸入するものである。
【００３５】
前述したように、常時は、上記弁部３３が上記シート部３１に着座していて、ガス抜き用通気孔３４は閉塞されている。これに対して、上記回転操作部２９ｂを回転操作して上記ガス抜き用中空シャフト２９の弁座用スリーブ２３に対する螺合を緩めて上方に引き上げることにより、上記弁部３３を上記シート部３１から離間させる。それによって、ガス抜き用通気孔３４が開放され、ガス抜き用通気孔３４、ガス抜き用貫通孔２９ｃ、ガス抜き用中空シャフト２９の中空部２９ａを介してガス抜きが行われる。このガス抜きされた水素ガスが、上記水素ガス吸入器具１０１を介してユーザ２に吸入されることになる。
【００３６】
以上の構成を基にその作用を説明する。
まず、水素ガス発生ユニット３は機能水容器５の外にあり、又、内側容器６３は外側容器５１の外にある。そして、まず、内側容器６３内に水素ガス発生剤キット６７を投入すると共に所定量の反応用水８０を入れる。次に、内側容器６３を外側容器５１内に入れてキャップ５３によって封止する。
【００３７】
一方、機能水容器５内には所定量の機能水７が充填されている。次に、上記水素ガス発生ユニット３を機能水容器５内の機能水７中に投入してキャップ１１によって封止する。その状態で放置すると、上記水素ガス発生ユニット３内で水素ガス発生剤８１と反応用水８０が接触・反応して水素ガスが発生する。
【００３８】
この点に関して詳しく説明すると、４℃〜３０℃の反応用水８０が水素ガス発生剤キット６７内に透水・侵入して含浸されると、主剤Ｂの酸化カルシウム（ＣａＯ）と水（２Ｈ２Ｏ）が反応して水酸化カルシウム（ＣａＯＨ）が生成され、同時に、水和熱が発生する。この水和熱により４０℃以上に昇温した水酸化カルシウム（ＣａＯＨ）のアルカリ溶液と主剤Ａのアルミニウム（Ａｌ）が反応して水素ガスが発生する。そして、主剤Ａのアルミニウム（Ａｌ）はさらに自ら反応熱を発しながら水素ガスを発生する。
【００３９】
発生した水素ガスは、内側容器６３の上端開口部６３ａを越流し、内側容器６３と外側容器５１との間の断熱空間７９を流下していく。流下した水素ガスは水素ガス通気路６５、水素ガス通気路６９、螺旋状水素ガス通気路７１、水素ガス通気路７３、７５、微泡発生器６１を介して、機能水容器５内の機能水７中に放出される。この放出された水素ガスは機能水７中に溶解していき、その結果、高濃度の水素水が生成される。
【００４０】
上記微泡発生器６１の作用について説明を補充する。微泡発生器６１を介し水素ガスが放出される際極微気泡（マイクロバブル）状で放出される。機能水７中に浮遊する水素ガスの極微気泡は機能水７中に溶解することによりその径がさらに小さくなり、浮遊から滞留に移行する。そして、極微気泡の機能水７中ヘの溶解が進行することによりナノバブル（気泡径が１０〜１００ｎｍ）になり、最後は、臨界状態となって自壊する。その結果、機能水７は高濃度溶存水素水となる。又、上記自壊により超高圧と超衝撃が発生し、それによって、自壊が促進される。
又、水素ガス発生により機能水容器５内の圧力は、例えば、０．７Ｍｐａまで上昇する。常圧における水素ガス飽和溶存濃度は１．６ｐｐｍ程度であるが、０．７Ｍｐａまで昇圧することにより、水素ガス飽和溶存濃度は７．０ｐｐｍ程度まで上昇する。
【００４１】
次に、発生した水素ガスの吸入と製造された水素水としての機能水７の飲用について説明する。
水素水としての機能水７を飲用するべくキャップ９を開放する前に、ガス抜きバルブ１９を徐々に開放する。これによって、機能水容器５内の圧力が徐々に減じられるとともに（例えば、０．７Ｍｐａから大気開放状態になる。）、それに併せて、機能水７中に放出されずに水素ガス貯留チャンバ６４内に残留されていた水素ガスが微泡発生器６１を介して機能水７中に徐々に放出・溶解されていく。その際の微泡発生器６１の作用は前述した通りである。これによって、機能水７の水素濃度は大幅に上昇する。
【００４２】
そして、上記ガス抜きバルブ１９を徐々に開放することにより放出される水素ガスは水素ガス吸入器具１０１を介してユーザ２に吸入される。すなわち、接続部１０３、水素ガス吸入チューブ１０５、接続具１０７、水素ガス吸入チューブ１０９、鼻孔カニューラ１１１を介して水素ガスを吸入する。それによって、ユーザ２は、高濃度の水素ガスを効率良く吸入することができる。
【００４３】
水素ガスの吸入が終わったら、後は、キャップ１１を開放して飲み口９を介して水素水になった機能水７を直接飲用する、又は、図示しないコップに注いで飲用することになる。
【００４４】
以上本実施の形態によると次のような効果を奏することができる。
まず、水素水飲用時に前処理として行われるガス抜きによって放出される水素ガスを吸入するようにしているので、水素ガスの有効利用を図ることができる。又、水素ガスを高濃度の状態で吸入することができる。
又、本実施の形態の場合には、水素ガス吸入器具１０１を機能水容器５のガス抜きバルブ１９に直接取り付けているので、例えば、水素水製造器具１を把持して水素ガスを吸入することもできる、等、高い携帯性を提供することができる。
又、本実施の形態の場合には、水素水製造器具１において水素ガス発生反応時の反応物等が機能水７中に混入するようなことはなく、又、水素ガス中にそれら反応物が混入されていることもなく、よって、先行技術のように、発生した水素ガスを洗浄するための構成がそもそも必要ないものであり、それが、水素ガス吸入器具１０１の機能水容器５のガス抜きバルブ１９への直接取付を可能にしており、それによって、構成の簡略化を図ることができるものである。
又、水素ガス吸入器具１０１を機能水容器５のガス抜きバルブ１９に着脱可能に取り付けているので、水素ガスを吸入しない場合には、水素ガス吸入器具１０１を機能水容器５のガス抜きバルブ１９から外しておけばよい。
又、本実施の形態で使用している水素ガス吸入器具２６は鼻孔カニューラ３８を使用した簡単な構成のものであり、例えば、市販の製品を使用することもできる。
【００４５】
次に、図４を参照して本発明の第２の実施の形態を説明する。前記第１の実施の形態の場合には、鼻孔カニューラ１１１を用いた水素ガス吸引器具１０１を例に挙げて説明したが、この第２の実施の形態の場合には、吸引マスク１２１を用いた水素ガス吸引器具１０１を例に挙げて説明するものである。以下、説明する。
【００４６】
上記接続具１０７には上記吸入マスク１２１が接続されている。この吸入マスク１２１は、マスク本体１２３と、このマスク本体１２３の左右に連結された紐体１２５、１２７とから構成されている。上記マスク本体１２３には接続口１２９が形成されていて、この接続口１２９に上記接続具１０７が着脱可能に取り付けられている。又、上記マスク本体１２３には、複数の空気吸入孔１３１が成されているとともに、空気排気孔１３３が形成されている。
尚、その他の構成は前記第１の実施の形態の場合と同じであり、図中同一部分には同一符号を付して示しその説明は省略する。
【００４７】
上記構成によると、ユーザ２は、上記ガス抜きバルブ１９の開放時に、上記吸入マスク１２１を介して水素ガスを吸入することになる。又、その際、上記空気吸入口１３１及び空気排気孔１３３を介して適度な空気流れが発生し、ユーザ２が息苦しさ等を感じることを軽減することができる、等、使用時の安全性を向上させることができる。
【００４８】
したがって、前記第１の実施の形態の場合と同様の効果を奏することができるとともに、使用時の安全性の向上を図ることができる。
【００４９】
次に、図５を参照して本発明の第３の実施の形態を説明する。この第３の実施の形態の場合には、前記第２の実施の形態の場合における吸入マスク１２１を接続具１０３、１０７を介してガス抜きシャフト２９に直付けするようにしたものである。
尚、その他の構成は前記第１、第２の実施の形態の場合と同じであり、図中同一部分には同一符号を付して示しその説明は省略する。
【００５０】
上記構成によると、前記第１、第２の実施の形態の場合と同様の効果を奏することができるとともに、水素ガス吸入器具１０１の構成がより簡略化されることになるので、携帯性を大幅に向上させることができる。
【００５１】
次に、図６を参照して本発明の第４の実施の形態を説明する。この場合には、前記第２の実施の形態の場合の吸入マスク１２１をより大きくしたものであり、それによって、空気の流入・流出の量を増大させるようにしたものである。
尚、その他の構成は前記第２の実施の形態の場合と同じであり、図中同一部分には同一符号を付して示しその説明は省略する。
【００５２】
上記構成によると、前記第２の実施の形態の場合と同様の効果を奏することができるとともに、吸引マスク１２１の大きさを拡大したことにより、空気の流入・流出の量を増大させることができ、それによって、水素ガス吸入時のさらなる安全性の向上を図ることができる。
【００５３】
次に、図７を参照して本発明の第５の実施の形態を説明する。前記第１〜第４の実施の形態の場合は、水素ガスを鼻及び又は口から吸入する場合を例に挙げて説明したが、この第５の実施の形態の場合には、水素ガス浸透器具１０１′を使用して、水素ガスを皮膚から浸透させて、主に、美容を目的として使用する場合を例に挙げて示すものである。
【００５４】
以下、詳細に説明する。図７（ａ）に示すように、水素ガス浸透チューブ１０５の先端には、接続具１０７を介して経皮浸透治具１５１が接続されている。この経皮浸透治具１５１は、図７（ｂ）に示すように、硬質部材からなる基部１５１ａと、軟質部材からなるリング状押当部材１５１ｂと、から構成されていて、内部に経皮浸透室１５１ｃが形成されている。
【００５５】
そして、使用する場合は、図７（ａ）に示すように、上記リング状押当部材１５１ｂを、例えば、顔１６１の皮膚に押し当てる。それによって、上記経皮浸透室１５１ｃ内の水素ガスが皮膚に浸透され、様々な美容効果を提供することになる。
【００５６】
次に、図８を参照して本発明の第６の実施の形態を説明する。この第６の実施の形態の場合には、前記第５の実施の形態における経皮浸透治具１５１の代わりに、別の構成の経被浸透治具１７１を取り付けたものである。この経皮浸透治具１７１は、治具本体１７１ａと、この治具本体１７１ａの先端に着脱可能に取り付けられた経皮浸透アタッチメント１７１ｂとから構成されていて、経皮浸透アタッチメント１７１ｂの内部に経皮浸透室１７１ｃが形成されている。上記経皮浸透アタッチメント１７１ｂの先端にはリング状部材１７１ｄが設けられている。又、上記治具本体１７１ａは中空状に形成されている。
その他の構成は前記第５の実施の形態の場合と同様であり、図中同一部分には同一符号を付して示しその説明は省略する。
【００５７】
上記構成によると、ユーザ２は上記治具本体１７１ａを把持して、経皮浸透アタッチメント１７１ｂを、例えば、顔１６１の皮膚に当てながらスライドさせていく。それによって、経皮浸透室１７１ｃ内の水素ガスが皮膚に浸透していくことになり、所期の美容効果を得ることができるものである。
尚、上記経皮浸透アタッチメント１７１ｂとしては大小様々な大きさのものが用意されていて、適宜の大きさのものを選択して治具本体１７１ａの先端に取り付けることになる。
【００５８】
したがって、前記第５の実施の形態の場合と同様の効果を奏することができる。
【００５９】
次に、図９を参照して本発明の第７の実施の形態を説明する。前記第１〜第６の実施の形態の場合には、ガス抜き用中空シャフト２９の部位にレリーフバルブを設けない構成であったが、この第５の実施の形態の場合には、上記ガス抜き用中空シャフト２９の部位にレリーフバルブ３０１を設けているものである。以下、説明する。
【００６０】
まず、上記ガス抜き用中空シャフト２９にはレリーフ用排気孔３０３が形成されていて、このレリーフ用排気孔３０３の上にはボール弁３０５が収容されている。このボール弁３０５はコイルスプリング３０７によって常時下方に付勢されていて上記レリーフ用排気孔３０３を閉塞するようになっている。上記コイルスプリング３０７はスプリング押え部材３０９によって所定量圧縮された状態で押し付けられている。上記スプリング押え部材３０９には貫通孔３９ａが穿孔されている。これに対して機能水容器５内の圧力が所定の圧力を超えると、上記ボール弁３０５がコイルスプリング３０７のスプリング力に抗して上方に持ち上げられ、それによって、上記レリーフ用排気孔３０３が開放される。このレリーフ用排気孔３０３の開放により機能水容器内の水素ガスが、上記ガス抜き用中空シャフト２９及び水素ガス吸引器具２６を介して排気されることになる。
尚、その他の構成は前記第１〜第６の実施の形態の場合と同じであり、図中同一部分には同一符号を付して示しその説明は省略する。
【００６１】
上記構成によると、前記第１〜第６の実施の形態の場合と同様の効果を奏することができるともに、安全弁機能を得ることができる。
【００６２】
尚、本発明は前記第１〜第７の実施の形態に限定されるものではない。
まず、水素水製造器具の構成自体はこれを特に限定するものではない。
又、水素ガス発生剤についてもこれを特に限定するものではない。
又、水素ガス吸入器具の構成としては、鼻孔カニューラ、吸引マスクを使用したものに限定されるものではなく、様々な構成が考えられる。
又、水素ガス浸透器具の構成としても、経被浸透室を例に挙げて説明したが、これに限定されるものではない。
又、美容を目的とした経皮浸透についても、その部位は顔に限定されるものではない。
その他、図示した構成はあくまで一例である。
【産業上の利用可能性】
【００６３】
本発明は、水素ガス吸入方法と水素ガス浸透方法と水素ガス吸入装置と水素ガス浸透装置に係り、特に、高濃度の水素ガスを効率良く吸入する又は浸透させることができ、且つ、携帯できるように工夫したものに関し、例えば、携帯用の水素ガス吸入装置、水素ガス浸透装置に好適である。
【符号の説明】
【００６４】
１  水素ガス水製造器具
３  水素ガス発生ユニット
５  機能水容器
７  機能水
９  キャップ
１９  ガス抜きバルブ
１０１  水素ガス吸入器具
１０１′  水素ガス浸透器具
１０３  接続具
１０５  水素ガス吸入チューブ（水素ガス浸透チューブ）
１０７  接続具
１０９  水素ガス吸入チューブ
１１１  鼻孔カニューラ
１２１  吸入マスク
１５１  経皮浸透治具
１５１ｃ  経皮浸透室
１７１  経皮浸透治具
１７１ｃ  経皮浸透室
【図１】
2016182153.tif 000003
【図２】
2016182153.tif 000004
【図３】
2016182153.tif 000005
【図４】
2016182153.tif 000006
【図５】
2016182153.tif 000007
【図６】
2016182153.tif 000008
【図７】
2016182153.tif 000009
【図８】
2016182153.tif 000010
【図９】
2016182153.tif 000011